【手続補正書】
【提出日】平成24年6月29日(2012.6.29)
【手続補正１】
【補正対象書類名】明細書
【補正対象項目名】００５０
【補正方法】変更
【補正の内容】
【００５０】
構造の詳細及び本発明の機能と共に、上記記載及び実施例に記載される本発明の多数の特性及び利点においてさえ、本開示は具体例に過ぎないことを理解されたい。添加剤ポッドの詳細、特にその形状、寸法及び配置、並びに使用方法については、添付の請求項の範囲において表現された用語の意味によって示される本発明の原理及びそれらの構造及び方法の等価物の範囲内で変更を加えることができる。
本願発明に関連する発明の実施形態について以下に列挙する。
[実施形態１]
添加剤を流体の流れに導入するための装置であって、
添加剤保有チャンバを画定する少なくとも１つの側壁を備える添加剤ポッドと、
前記添加剤保有チャンバに配置された少なくとも１つの添加剤と、
を備え、
前記添加剤保有チャンバが前記添加剤を前記流体の流れに分散するように構成され、かつ前記添加剤保有チャンバが流体取り扱い装置の出口部分に配置されるように構成される、
装置。
[実施形態２]
前記少なくとも１つの側壁の少なくとも一部が多孔質である、実施形態１に記載の装置。
[実施形態３]
前記少なくとも１つの側壁が、閉じた円筒壁と、少なくとも部分的に開いた第１及び第２の軸方向の端とを有する実質的に円筒形の管を備える、実施形態１に記載の装置。
[実施形態４]
前記添加剤ポッドが、前記流体取り扱い装置の前記出口部分の少なくとも１つの受け取り部材と協調的に係合するように構成された少なくとも１つの係合ツメを更に備える、実施形態１に記載の装置。
[実施形態５]
前記少なくとも１つの添加剤が錠剤の形態で提供される、実施形態１に記載の装置。
[実施形態６]
前記流体の流れに前記添加剤を分散する前に前記添加剤保有チャンバ内に前記添加剤を保持するように構成される、少なくとも１つの添加剤保持部材を更に備える、実施形態１に記載の装置。
[実施形態７]
前記少なくとも１つの添加剤保持部材が、前記流体の流れがそれを通過することを可能にするように構成される、実施形態６に記載の装置。
[実施形態８]
前記少なくとも１つの添加剤が、前記流体の流れに前記添加剤を分散する前に前記添加剤保有チャンバ内にそれ自体を保持するように構成される、実施形態１に記載の装置。
[実施形態９]
分散されていない添加剤の一部が前記添加剤保有チャンバから抜け出ることを防止するように構成される、下流トラップ部材を更に備える、実施形態１に記載の装置。
[実施形態１０]
囲まれた容積を画定する少なくとも１つの側壁を備える保管容器を更に備え、前記囲まれた容積内に前記添加剤ポッドが配置される、実施形態１〜９のいずれか一項に記載の装置。
[実施形態１１]
前記添加剤ポッドが前記囲まれた容積内に気密封止される、実施形態１０に記載の装置。
[実施形態１２]
前記添加剤が消毒剤を含む、実施形態１〜１１のいずれか一項に記載の装置。
[実施形態１３]
前記消毒剤が、塩素、二酸化塩素、ヨウ素、次亜ヨウ素酸、臭素、次亜臭素酸、次亜塩素酸、フッ素、アルコール、過酸化水素、オゾン、及びこれらの組み合わせからなる群から選択される、実施形態１２に記載の装置。
[実施形態１４]
前記添加剤が、香味剤、ビタミン、染料、スケール抑制剤、及びこれらの組み合わせからなる群から選択される物質を含む、実施形態１〜１１のいずれか一項に記載の装置。
[実施形態１５]
添加剤を流体の流れに導入するための装置であって、
添加剤保有チャンバを画定する少なくとも１つの側壁を備える、前記少なくとも１つの側壁の少なくとも一部が多孔質である添加剤ポッドと、
前記添加剤保有チャンバに配置された少なくとも１つの添加剤と、
を備え、
前記添加剤保有チャンバが前記添加剤を前記流体の流れに分散するように構成され、かつ前記添加剤保有チャンバが流体取り扱い装置の出口部分に配置されるように構成され、
前記添加剤ポッドが、
前記流体取り扱い装置の前記出口部分とシールを形成するように構成される少なくとも１つの上流密封部材と、
下流物品とシールを形成するように構成される少なくとも１つの下流密封部材と、
を更に備える、装置。
[実施形態１６]
前記添加剤ポッドが、前記流体取り扱い装置の前記出口部分の少なくとも１つの受け取り部材と協調的に係合するように構成された少なくとも１つの係合ツメを更に備える、実施形態１５に記載の装置。
[実施形態１７]
前記流体の流れに前記添加剤を分散する前に前記添加剤保有チャンバ内に前記添加剤を保持するように構成される少なくとも１つの添加剤保持部材を更に備える、実施形態１５に記載の装置。
[実施形態１８]
囲まれた容積を画定する少なくとも１つの側壁を備える保管容器を更に備え、前記囲まれた容積内に前記添加剤ポッドが気密封止される、実施形態１５〜１７のいずれか一項に記載の装置。
[実施形態１９]
前記添加剤が、塩素、二酸化塩素、ヨウ素、次亜ヨウ素酸、臭素、次亜臭素酸、次亜塩素酸、フッ素、アルコール、過酸化水素、オゾン、及びこれらの組み合わせからなる群から選択される消毒剤を含む、実施形態１５〜１７のいずれか一項に記載の装置。
[実施形態２０]
添加剤を流体の流れに導入するためのシステムであって、
ハウジング及び出口部分を有する、出口流の流れが前記出口部分を通って前記ハウジングを出るフィルタカートリッジと、
添加剤保有チャンバを画定する少なくとも１つの側壁を備える添加剤ポッドと、
前記添加剤保有チャンバに配置された少なくとも１つの添加剤と、
を備え、
前記添加剤保有チャンバが前記添加剤を前記流体の流れに分散するように構成され、
前記添加剤保有チャンバが前記フィルタカートリッジの前記出口部分に配置されるように構成される、
システム。
[実施形態２１]
前記添加剤ポッドが、前記フィルタカートリッジの前記出口部分の少なくとも１つの受け取り部材と協調的に係合するように構成された少なくとも１つの係合ツメを更に備え、
前記出口部分が、前記出口部分から前記添加剤ポッドを解除することを可能にするために前記添加剤ポッドと協調するように構成された少なくとも１つの解放部材を更に備える、実施形態２０に記載のシステム。
[実施形態２２]
囲まれた容積を画定する少なくとも１つの側壁を備える保管容器を更に備え、前記囲まれた容積内に前記添加剤ポッドが配置される、実施形態２０に記載のシステム。
[実施形態２３]
前記添加剤保有チャンバが前記フィルタカートリッジの前記出口部分に配置されるように構成される、実施形態２０に記載のシステム。
【手続補正２】
【補正対象書類名】特許請求の範囲
【補正対象項目名】全文
【補正方法】変更
【補正の内容】
【特許請求の範囲】
【請求項１】
添加剤を流体の流れに導入するための装置であって、
添加剤保有チャンバを画定する少なくとも１つの側壁、及び流体取り扱い装置の出口部分の少なくとも１つの受け取り部材と協調的に係合するように構成された少なくとも１つの係合ツメを備える添加剤ポッドと、
前記添加剤保有チャンバに配置された少なくとも１つの添加剤と、
を備え、ここで、前記少なくとも１つの側壁の少なくとも一部が多孔質であり、
前記添加剤保有チャンバが前記添加剤を前記流体の流れに分散するように構成され、かつ前記添加剤保有チャンバが流体取り扱い装置の出口部分に配置されるように構成される、
装置。
【請求項２】
囲まれた容積を画定する少なくとも１つの側壁を備える保管容器を更に備え、前記添加剤ポッドが前記囲まれた容積内に気密封止される、請求項１に記載の装置。
【請求項３】
前記添加剤が消毒剤を含む、請求項１又は２に記載の装置。
【請求項４】
請求項１〜３のいずれか一項に記載の添加剤を流体の流れに導入するための装置であって、
前記添加剤ポッドが、
前記流体取り扱い装置の前記出口部分とシールを形成するように構成される少なくとも１つの上流密封部材と、
下流物品とシールを形成するように構成される少なくとも１つの下流密封部材と、
を更に備える、装置。
【請求項５】
請求項１〜４のいずれか一項に記載の添加剤を流体の流れに導入するための装置であって、
ハウジング及び出口部分を有するフィルタカートリッジを有する流体取り扱い装置をさらに含み、ここで、出口流の流れが前記出口部分を通って前記ハウジングを出ており、又、
前記出口部分が、前記出口部分から前記添加剤ポッドを解除することを可能にするために前記添加剤ポッドと協調するように構成された少なくとも１つの解放部材を更に備える、装置。
【請求項６】
前記添加剤保有チャンバが前記フィルタカートリッジの前記出口部分に配置されるように構成される、請求項５に記載の装置。